(57)【要約】【課題】小さい手首の動きで粉を掬え、柄に粉が付きにくく、狭い洗剤投入口にも粉を容易に投入できる計量スプーンを提供する。【解決手段】計量部２の上面開口の周縁２１が、柄の前端に連結された後縁部２１ｅと、後縁部より左右幅が狭く設定された直線状の前縁部２１ａと、左右後部側縁部２１ｃと、その前端から先窄まり形状に斜め前方へ延びて前縁部の左右端につながる左右前部側縁部２２ｂとを有する略六角形状に形成されている。計量部の周側壁２２が、前縁部２１ａから斜め後方へ向けて垂下されて底壁２３につながる傾斜平面よりなる前面側壁２２ａと、左右後部側縁部２１ｃから略垂直に垂下されて底壁２３につながる左右後部側壁２２ｃと、左右前部側縁部２１ｂから斜め後方へ向けて垂下されて底壁２３につながるように傾斜し、前面側壁２２ａ及び左右後部側壁２２ｃに挟まれた平面である左右前部側壁２２ｂと、を備えている。【選択図】図１
2009122029.tif 000002
【特許請求の範囲】
【請求項１】
柄の前方に計量部を有する計量スプーンにおいて、
前記計量部は、底壁と、該底壁から立ち上がる周側壁と、該周側壁の上端縁を周縁とする上面開口とを有する箱形をなし、
前記上面開口の周縁は、前記柄の前端に位置する後縁部と、該後縁部より左右幅が狭く設定されて該後縁部と間隔をおいて対向し、且つ前記柄の長手方向と略直交する直線状の前縁部と、前記後縁部の左右各両端から前方へ延びる左後部側縁部および右後部側縁部と、該左後部側縁部または右後部側縁部の前端から先窄まり形状に斜め前方へ延びて、前記後縁部より左右幅が狭く設定された前記前縁部の左または右の端につながる左前部側縁部および右前部側縁部と、を有し、
前記周側壁は、前記前縁部から斜め後方へ向けて垂下されて前記底壁につながる傾斜平面よりなる前面側壁と、前記左右後部側縁部から略垂直に垂下されて前記底壁につながる左右後部側壁と、前記左右前部側縁部から斜め後方へ向けて垂下されて前記底壁につながるように傾斜し、前記前面側壁及び前記左右後部側壁に挟まれた平面である左右前部側壁と、を備えた計量スプーン。
【請求項２】
請求項１に記載の計量スプーンであって、前記左右前部側壁は、左右前部側縁部と、前面側壁、左後部側壁または右後部側壁及び底壁との境界をなす３本の直線とで囲まれた４辺形である計量スプーン。
【請求項３】
請求項１または２に記載の計量スプーンであって、前記前面側壁を底面として水平面上に前記計量部を載せたとき、全体の重心が、前記前面側壁と底壁とのつながり点よりも前側にあるように重量配分がなされている計量スプーン。
【請求項４】
請求項１ないし３のいずれか１項に記載の計量スプーンであって、前記計量部を側方から見たとき、前記前面側壁と前記上面開口とのなす角が４０°〜６０°の範囲の鋭角に設定されている計量スプーン。
【請求項５】
請求項１ないし４のいずれか１項に記載の計量スプーンであって、前記計量部の上面開口の周縁が、すり切り可能に平坦面内に位置するように形成されており、前記周側壁に、前記上面開口の周縁と平行をなす中間目盛線が設けられている計量スプーン。
【請求項６】
請求項１ないし５の計量スプーンを付属させた容器入り洗剤。
【発明の詳細な説明】
【技術分野】
【０００１】
本発明は、粉末洗剤等の粉末物質を掬うための計量スプーン及び容器入り洗剤に関する。
【背景技術】
【０００２】
一般に、市販されている粉末洗剤等のカートンには、その使用の便宜を図るための計量スプーンが付属している。
【０００３】
従来のこの種の用途の計量スプーンは、柄の前方に四角い箱形の計量部を有するものが多かった。計量部の形を四角い箱形にするのは、残量が少なくなったときでも、カートンの底に残った粉を、計量部の先端で効率よく掬い取れるようにするためである。
【０００４】
従来の計量スプーンについて簡単に説明すると、柄の前方に付いている計量部は、底壁と、底壁から立ち上がる周側壁と、周側壁の上端縁を周縁（開口縁）とする上面開口とを有する四角い箱形をなしており、上面開口の周縁は、柄の前端に位置する後縁部と、該後縁部と間隔をおいて対向し、柄の長手方向と直交する直線状の前縁部と、後縁部の左右両端から前方へ延びて前縁部の左右端につながる左右側縁部と、を有する略四角形状に形成されている。
【０００５】
また、周側壁は、上面開口の後縁部から略垂直に垂下されて底壁につながる後面側壁と、左右側縁部から略垂直に垂下されて底壁につながる左右側壁と、前縁部から略垂直に垂下されて底壁につながる前面側壁と、から構成されている。
【０００６】
このように、従来の計量スプーンでは、周側壁の前面側壁が上面開口に対しほぼ垂直な壁として形成されると共に、左右側壁が互いに平行な壁面として形成されていた。
【特許文献１】特開平８−１１０２５８号公報
【発明の開示】
【発明が解決しようとする課題】
【０００７】
ところで、上述した従来の計量スプーンのように、周側壁の前面側壁が上面開口に対してほぼ直角をなしている場合は、粉を掬うにあたって、計量部から後方へ延びる柄を垂直よりも前側に倒しながら、前面側壁の上端（上面開口の周縁の前縁部）を粉の上面に斜めに差し込む必要がある。斜めに差し込まないと前面側壁の面全体が差し込みに対する抵抗となるからである。
【０００８】
従って、粉を掬う際には、まず、柄を持つ手首を大きく曲げて、計量部の前面側壁の上端を粉の中に斜めに差し込み、それから、手首を返しながら、計量部を持ち上げることで、粉を掬い上げている。このため、差し込みから掬い上げまで、手首の返し角度を大きくしなくてはならず、掬いにくいという問題があった。また、粉を掬い取る際の抵抗が大きく、それだけ余計な力が必要であった。
【０００９】
また、計量部が四角い箱形である場合は、計量部の横幅を広くすると、最近の洗濯機の狭い洗剤投入口に粉を投入しにくくなるという問題もある。その問題は、計量部の全体の横幅を狭くすれば解決できるが、そうすると今度は、同じ容量の場合、計量部の長さが長くなってしまい、結果的に計量スプーン全体の長さが長くなって、カートンの中に計量スプーンが納まりにくくなるという問題もある。
【００１０】
本発明は、上記事情を考慮し、小さい手首の動きで容易に粉を掬うことができ、また、最近の洗濯機の狭い洗剤投入口に、掬った粉を投入する場合にも、投入しやすい計量スプーン及び容器入り洗剤を提供することを目的とする。
【課題を解決するための手段】
【００１１】
本発明の計量スプーンは、柄の前方に計量部を有する計量スプーンにおいて、前記計量部は、底壁と、該底壁から立ち上がる周側壁と、該周側壁の上端縁を周縁とする上面開口とを有する箱形をなし、前記上面開口の周縁は、前記柄の前端に位置する後縁部と、該後縁部より左右幅が狭く設定されて該後縁部と間隔をおいて対向し、且つ前記柄の長手方向と略直交する直線状の前縁部と、前記後縁部の左右両端から前方へ延びる左右後部側縁部と、該左右後部側縁部の前端から先窄まり形状に斜め前方の内側へ延びて、前記後縁部より左右幅が狭く設定された前記前縁部の左若しくは右の端につながる左前部側縁部および右前部側縁部と、を有し、前記周側壁は、前記前縁部から斜め後方へ向けて垂下されて前記底壁につながる傾斜平面よりなる前面側壁と、前記左右後部側縁部から略垂直に垂下されて前記底壁につながる左右後部側壁と、前記左右前部側縁部から斜め後方へ向けて垂下されて前記底壁につながるように傾斜し、前記前面側壁及び前記左右後部側壁に挟まれた平面である左右前部側壁と、を備える。
【００１２】
本発明の計量スプーンは、好ましくは、前記左右の前部側壁は、左または右の前部側縁部と、前面側壁、左右後部側壁及び底壁との境界をなす３本の直線とで囲まれた４辺形であることが好ましい。更に、前面側壁と左または右の前部側壁の境界をなす直線と、左または右の前部側壁と後部側壁との境界をなす直線とが平行に近いのが好ましい。
【００１３】
また、本発明の計量スプーンは、好ましくは、前記前面側壁を底面として水平面上に前記計量部を載せたとき、全体の重心が、前記前面側壁と底壁とのつながり点よりも前側にあるように重量配分がなされているのが好ましい。
【００１４】
また、本発明の計量スプーンは、前記計量部を側方から見たとき、前記前面側壁と前記上面開口とのなす角が４０°〜６０°の範囲の鋭角に設定されているのが好ましい。
【００１５】
また、本発明の計量スプーンは、前記計量部の上面開口の周縁が、すり切り可能に平坦面内に位置するように形成されており、前記周側壁に、前記上面開口の周縁と平行をなす中間目盛線が設けられているのが好ましい。
【発明の効果】
【００１６】
本発明によれば、左右の前部側壁が、左右前部側縁部から斜め後方へ向けて垂下されて底壁につながるように傾斜し、前面側壁及び左右後部側壁に挟まれた平面として構成されているので、粉を掬うときの抵抗を小さくすることができる。また、前縁部が直線状であり、かつ底面に向う面が平面になっているので、粉が残り少なくなった場合に、計量部の前面側壁をカートンの底面に滑らせるだけで、前縁部で洩れなく粉を効率よく掬うことができる。
【００１７】
また、計量部の先端が鋭角状になっているので、使用後に、計量スプーンの先端を粉に差し込んでおくことも容易にでき、カートン内の粉が満量の場合の計量スプーンの収納も楽になると共に、次回の使用も楽にできるようになる。つまり、予め差し込んである計量スプーンを、そのまま前方に移動しながら手首を返して持ち上げるだけで、粉を掬い取ることができる。
【００１８】
また、計量部の先端を先窄まり形状にしているので、洗濯機の洗剤投入口が狭い場合にも、洗剤を投入しやすくなる。また、左右幅を狭くしたのは前端だけで、後側の幅は前側よりも広くしてあるので、同じ容量の場合、計量部の長さが長くなり過ぎることにはならず、容量を減らさずに長さ方向の寸法抑制をすることができる。
【発明を実施するための最良の形態】
【００１９】
以下、本発明の実施形態を図面を参照しながら説明する。
【００２０】
図１は実施形態の計量スプーンの斜視図、図２は同計量スプーンの正面図、図３は同計量スプーンの側面図、図４は同計量スプーンの背面図、図５は同計量スプーンの平面図、図６は同計量スプーンの底面図、図７は図５のＡ−Ａ線に沿う断面図、図８は図５のＢ−Ｂ線に沿う断面図、図９は同計量スプーンの掬い取り動作の説明図、図１０は同計量スプーンの使用後の載置状態を示す側面図、図１１は同計量スプーンを図１０中Ｙ方向から見た説明図、図１２は同計量スプーンが箱内に収められた容器入り洗剤の部分断面図である。
【００２１】
この計量スプーン１は、手で持つための柄３の前方にカップ状の計量部２を有するもので、全体が透明樹脂または半透明樹脂の成形品で構成されている。計量部２は、フラットな底壁２３と、底壁２３から立ち上がる周側壁２２と、周側壁２２の上端縁を周縁２１とする上面開口（周縁のみ符号を付してある）とを有する箱形をなしている。
【００２２】
計量部２の上面開口の周縁２１は、すり切り可能に全周が同一平面内に位置するように形成されており、計量部２の周側壁２２には、内面と外面に、上面開口の周縁２１と平行をなす中間目盛線２４ａ、２４ｂが設けられている。これら中間目盛線２４ａ、２４ｂは、壁面に段部を設けることにより形成されている。
【００２３】
柄３は、広幅面を上下に向けた帯板状の本体３１を有し、本体３１の上面に親指の腹を添えやすくするための凹みを有し、下面にこの凹みに対応する凸状の膨らみ３２を有している。本体３１の前端３１ａは、計量部２の上面開口の周縁２１に連結され、本体３１の左右の端下面に各々設けたリブ３３が計量部２の周側壁２２の後面側壁２２ｅに連結されている。柄３は、計量部２から後方に直線状に延びた本体３１の上面が、計量部２の上面開口の周縁２１と同一平面上に位置するように形成されており、本体３１の後端３１ｂは半円状に形成されている。
【００２４】
計量部２の上面開口の周縁２１は、柄３の前端３１ａに連結された後縁部２１ｅと、その後縁部２１ｅより左右幅が狭く設定されて後縁部２１ｅと間隔をおいて対向し、且つ柄３の長手方向と略直交する直線状の前縁部２１ａと、後縁部２１ｅの左右両端からＲ状縁部（湾曲縁部）２１ｄ、２１ｄを介して前方へ延びる左または右後部側縁部２１ｃ、２１ｃと、左または右後部側縁部２１ｃ、２１ｃの前端から先窄まり形状に斜め前方へ延びて、後縁部２１ｅより左右幅が狭く設定された前縁部２１ａの左右端につながる左右前部側縁部２１ｂ、２１ｂと、を有する略六角形状に形成されている。
【００２５】
また、計量部２の周側壁２２は、上面開口の後縁部２１ｅから略垂直に垂下されて底壁２３につながる後面側壁２２ｅと、上面開口の湾曲縁部２１ｄ、２１ｄから略垂直に垂下されて底壁２３につながる湾曲側壁２２ｄ、２２ｄと、上面開口の左右後部側縁部２１ｃ、２１ｃから略垂直に垂下されて底壁２３につながる左および右の後部側壁２２ｃ、２２ｃと、上面開口の前縁部２１ａから斜め後方へ向けて垂下されて底壁２３につながる傾斜平面よりなる前面側壁２２ａと、上面開口の左および右の前部側縁部２１ｂ、２１ｂから斜め後方へ向けて垂下されて底壁２３につながるように傾斜し、前面側壁２２ａ及び左または右の後部側壁２２ｃ、２２ｃに挟まれた平面である左および右の前部側壁２２ｂ、２２ｂと、からなる。この左または右の前部側壁２２ｂ、２２ｂは、左または右の前部側縁部２１ｂ、２１ｂと、前面側壁２２ａとの境界をなす直線２４ａ、２４ａと、左または右の後部側壁２２ｃ、２２ｃとの境界をなす直線２４ｂ、２４ｂ及び底壁２３との境界をなす直線２４ｃ、２４ｃとで囲まれた４辺形をなしている。
【００２６】
図３に示すように、計量部２を側方から見たとき、前面側壁２２ａと上面開口とのなす角は４０°〜６０°の範囲、好ましくは約５１°の鋭角に設定されている。また、前面側壁２２ａと底壁２３の前端２３ａとのつながり部は角張っているが、底壁２３の後端２３ｂと後面側壁２２ｅとのつながり部は丸まっている。他の図からもわかるように、底壁２３と周側壁２２とのつながり部は、前面側壁２２ａに対してのつながり部を除いてすべて湾曲状に形成されている。
【００２７】
また、計量部２の周側壁２２のうち前側壁２２ａを底面として、計量部２を水平面上に載せたとき、全体の重心が、前面側壁２２ａと底壁２３とのつながり点（底壁２３の前端２３ａ）よりも前側にあるように、全体の重量配分がなされている。つまり、そのような重量配分となるように、柄３の長さが従来品と比べて短めに設定されている。
【００２８】
また、計量部の左または右の前部側壁２２ｂ、２２ｂと前面側壁２２ａとの境界をなす直線２４ａ、２４ａは互いに平行になっており、更に、計量部の左または右の前部側壁２２ｂ、２２ｂと前面側壁２２ａとの境界をなす直線２４ａ、２４ａと、各々、左または右の前部側壁２２ｂ、２２ｂと左または右の後部側壁２２ｃ、２２ｃとの境界をなす直線２４ｂ、２４ｂとが底壁２３に向かうに従って幅が狭くされている。このように前面側壁及び前部側壁は、同一の幅で、若しくは底部に向かって幅が狭くなりつつ延びるように構成してある。
【００２９】
また、計量部２の周側壁２２のうち、比較的広い面積を有する前面側壁２２ａと左右後部側壁２２ｃの内面に中間目盛線２４ａにおける計量値を示す文字２７が刻設されている。また、中間目盛線２４ａは、上下に間隔をおいて２段設けられており、底壁２３から下段の中間目盛線２４ａのレベルまで、左右後部側壁２２ｃの内面にリブ２５が設けられている。
【００３０】
本発明の計量スプーン１は、例えば、粉末状の衣料用洗剤に用いられる。すなわち、図１２に示すように、洗剤Ｐを内容した容器３１に洗剤Ｐとともに入れられ、あるいは、蓋３２の上に添付されるなどした状態で、計量スプーン１つきの容器入り洗剤３０として流通に供される。
【００３１】
次に作用を説明する。
【００３２】
この計量スプーン１は、計量部２の周側壁２２のうち、前面側壁２２ａとその左右の左および右の前部側壁２２ｂ、２２ｂをそれぞれ傾斜平面で構成し、側方から見たときの計量部２の先端の形状を鋭角状（角θ＝４０°〜６０°）にしたので、図９に示すように、計量部２から後方に延びる柄３を垂直な位置まで立てないでも、粉Ｐに対して計量部２の先端を容易に挿入することができる。そして、そのまま前方に移動しながら手首を返して、粉Ｐを掬い上げることができる。
【００３３】
従って、計量部２の先端の粉Ｐへの差し込みから掬い上げまでの手首の動作角度（捩り角度）αを小さくすることができると共に、少ない抵抗で粉Ｐを掬い上げることができ、掬い上げやすくなる。特に粉が残り少なくなった場合、計量部２の前面側壁２２ａをカートンの底面に滑らせるだけで、直線状の前縁部２１ａで洩れなく粉を効率よく掬うことができる。
【００３４】
特に左右前部側壁２２ｂ、２２ｂが、左右前部側縁部から斜め後方へ向けて垂下されて底壁２３につながるように傾斜し、前面側壁２２ａ及び左右後部側壁２２ｃ、２２ｃに挟まれた平面として構成されているので、粉を掬うときの抵抗を小さくすることができる。また、左および右の前部側壁２２ｂ、２２ｂが、左または右の前部側縁部２１ｂ、２１ｂと、前面側壁２２ａ、左または右の後部側壁２２ｃ、２２ｃ及び底壁２３との境界をなす３本の直線とで囲まれた４辺形に形成されているので、コンパクトな外形でありながら大きな容量を確保することができる。
【００３５】
また、計量部２の先端が鋭角状になっているので、使用後に、計量スプーン１の先端を粉Ｐに差し込んでおくことも容易にでき、カートン内の粉Ｐが満量の場合の計量スプーン１の収納も楽になると共に、次回の使用も楽にできるようになる。つまり、予め差し込んである計量スプーン１を、そのまま前方に移動しながら手首を返して持ち上げるだけで、粉Ｐを掬い取ることができる。
【００３６】
また、計量部２の前面側壁及び前部側壁２２ａが、底部２３に向かって幅狭に、若しくは同一の幅で延びる形状に構成してあることで、図１０に示すように、容器３１内の洗剤Ｐの表面あるいは水平面上に前面側壁２２ａを底面として計量部２を載せ、置いた面に平行して前面であるＹ方向より計量スプーン１をみたとき、図１１に示すように、計量部２全体が、上面開口の周縁２１に囲まれた状態で見える。計量部２全体が、上面開口の周縁２１に囲まれた状態となっている、言い換えると計量部２の最大幅が周縁２１と一致しているので、洗剤すなわち粉Ｐに計量部２を差し込むようにして掬ったとき、計量部２が粉に邪魔されずスムーズに粉Ｐのすきまに入り込み、図１３に示すような計量部２′が周縁２１′の幅よりはみ出した形状のスプーン１′に比べ、より小さな力で粉Ｐを掬い取ることができる。
【００３７】
また、計量部２の前面側壁２２ａが傾斜平面で構成され、前面側壁２２ａを底面として水平面上に計量部２を載せたとき、全体の重心が、前面側壁２２ａと底壁２３とのつながり点（前面側壁の後端＝底壁の前端）よりも前側にあるように重量配分がなされているので、図１０に示すように、粉Ｐの上に計量スプーン１を単純に載せた場合に、傾斜平面よりなる前面側壁２２ａを底面として粉の上に載せることができ、柄３が斜め上方に延びた恰好にすることができる。従って、柄３に粉が付かないように収納しておくことができ、次回の使用時に粉が手に付かないようにすることができる。
【００３８】
また、次回の使用時には、前面側壁２２ａを底面として粉Ｐの上に載っている計量スプーン１の柄３を手で持ち、僅かな手首の動作だけで、鋭角状の計量部２の先端を粉Ｐに挿入することができ、そのまま前方に移動して手首を返すだけで、計量部２に粉を掬いとることができる。また、重量配分の関係から柄３が短くなるため、計量スプーン１をカートンの中に収納しやすくなるし、扱いやすくなる。
【００３９】
また、図１、図５に示すように、計量部２の先端を先窄まり形状にしたので、洗濯機の洗剤投入口が狭い場合にも、洗剤を投入しやすくなる。また、左右幅を狭くしたのは前端だけで、後側の幅は前側よりも広くしてあるので、同じ容量の場合、計量部２の長さが長くなり過ぎることにはならず、容量を減らさずに長さ方向の寸法抑制をすることができる。
【００４０】
更に、先窄まり形状としたことと、上述の先願が鋭角上であることとがあいまって、粉Ｐが固まったとき、ほぐしたり差し込んだりすることが容易となる。これは、固まり易い洗剤を計量するときに特に有効である。
【００４１】
また、計量部２の前面側壁２２ａと上面開口とのなす角θを４０°〜６０°の範囲の鋭角に設定していることから、手首の動作角度を大きくしないでも、少ない抵抗で粉Ｐを掬い上げることができる。特にθ＝５１°に設定した場合に抵抗を最小にすることができ、もっとも掬いやすくなる。
【００４２】
また、計量部２の上面開口の周縁２１が、すり切り可能に平坦面内に位置するように形成されており、周側壁２２に、上面開口の周縁２１と平行をなす中間目盛線２４ａ、２４ｂが設けられているので、掬った粉を上面開口の周縁２１ですり切りすることにより、計量部２の満量を計測することができる。また、中間目盛線２４ａ、２４ｂで粉の上面位置を目測することにより、中間量を計測することができる。もちろん、計量部２に粉を山盛りすることで、山盛り量を計測することもできる。
【００４３】
また、中間目盛線２４ａ、２４ｂを傾斜平面である前面側壁２２ａと左右前部側壁２２ｂ、２２ｂに形成してあるので、上から見やすい。また、中間目盛線２４ａ、２４ｂの計量値を示す文字２７を、広い面積の前面側壁２２ａと左右後部側壁２２ｃに設けているので、大きい文字にして見やすくすることができる。
【図面の簡単な説明】
【００４４】
【図１】本発明の実施形態の計量スプーンの斜視図である。
【図２】同計量スプーンの正面図である。
【図３】同計量スプーンの側面図である。
【図４】同計量スプーンの背面図である。
【図５】同計量スプーンの平面図である。
【図６】同計量スプーンの底面図である。
【図７】図５のＡ−Ａ線に沿う断面図である。
【図８】図５のＢ−Ｂ線に沿う断面図である。
【図９】同計量スプーンの掬い取り動作の説明図である。
【図１０】同計量スプーンの使用後の載置状態を示す側面図である。
【図１１】同計量スプーンを図１０中Ｙ方向から見た説明図である。
【図１２】同計量スプーンが箱内に収められた容器入り洗剤の部分断面図である。
【図１３】比較例の計量スプーンの説明図である。
【符号の説明】
【００４５】
１  計量スプーン
２  計量部
２１  上面開口の周縁
３  柄
２１ａ  前縁部
２１ｂ  左右前部側縁部
２１ｃ  左右後部側縁部
２１ｅ  後縁部
２２  周側壁
２２ａ  前面側壁
２２ｂ  左右前部側壁
２２ｃ  左右後部側壁
２２ｅ  後面側壁
２３  底壁
２４ａ，２４ｂ  中間目盛線
３０  容器入り洗剤
θ  前面側壁と上面開口とのなす角
【図１】
2009122029.tif 000003
【図２】
2009122029.tif 000004
【図３】
2009122029.tif 000005
【図４】
2009122029.tif 000006
【図５】
2009122029.tif 000007
【図６】
2009122029.tif 000008
【図７】
2009122029.tif 000009
【図８】
2009122029.tif 000010
【図９】
2009122029.tif 000011
【図１０】
2009122029.tif 000012
【図１１】
2009122029.tif 000013
【図１２】
2009122029.tif 000014
【図１３】
2009122029.tif 000015